(57)【要約】  複数の情報からの再生される情報の選択は、適応確率分布に基づいて無作為に実行され、この適応確率分布は、選択された情報の再生に対する利用者の取り込まれた挙動に基づいて適応されるために、利用者にほとんど気づかれず、また利用者側の余分な手間をほとんどかけずに、利用者の要望およびニーズに合うインテリジェントな情報再生方式が提供される。したがって、利用者の挙動は、再生可能な情報および／または再生可能な情報が準備されている複数の情報オブジェクトの中で、１つの情報オブジェクトに準備されている特定の情報が次の再生される情報のために次の無作為選択で選択されるか否かの可能性を規定する適応確率分布を適応するための制御された変数として用いられる。
2007535048.tif 000002
【特許請求の範囲】
【請求項１】
複数の情報オブジェクト（５０）に準備されている情報を再生するための装置であって、
選択された情報オブジェクトを得るために適応確率分布（６０）に基づいて情報オブジェクト（５０）を無作為に選択するための手段（１２）と、
選択された前記情報オブジェクトに準備されている情報を再生するための手段（１４）と、
選択された前記情報オブジェクトに準備されている前記情報の前記再生に対する利用者の挙動を取り込むための手段（１６）と、
取り込まれた前記挙動に基づいて前記適応確率分布を適応するための手段（１２）とを備える、装置。
【請求項２】
各情報オブジェクト（５０）は、それを１セットのカテゴリからの１つまたはいくつかのカテゴリに関連付ける、それに関連付けられているカテゴリ関連データ（５４）を有し、前記確率分布は、少なくとも１つの重み付け値を各カテゴリ（５８）に関連付ける重み付け関連指定によって少なくとも部分的に規定され、無作為に選択するための前記手段（１２）は、前記重み付け関連指定と選択された前記情報オブジェクトに関連付けられている前記カテゴリ関連データとに基づいて前記選択を実行するように構成されている、請求項１に記載の装置。
【請求項３】
各情報オブジェクト（５０）は、それに関連付けられている１セットのカテゴリ重み付け（５６）をカテゴリ関連データ（５４）として有し、各カテゴリ重み付け（５６）は、１セットのカテゴリからのカテゴリ（５８）に関連付けられ、前記確率分布は、少なくとも１つの重み付け値を各カテゴリ（５８）に関連付ける重み付け関連指定（６０）によって少なくとも部分的に規定され、無作為に選択するための前記手段（１２）は、前記重み付け関連指定と選択された前記情報オブジェクトに関連付けられている前記カテゴリ重み付けとに基づいて前記選択を実行するように構成されている、請求項１または請求項２に記載の装置。
【請求項４】
前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、無作為に選択するための前記手段（１２）は、前記重み付け関連指定と前記状況関連パラメータの前記取り込まれた値と選択された前記オブジェクトに関連付けられている前記カテゴリ関連データとに基づいて前記選択を実行するように構成されている、請求項２または請求項３に記載の装置。
【請求項５】
前記状況関連パラメータは、現在の時刻、時期、曜日、前記利用者の現在の気分、前記利用者の現在の位置、または現在の天気概況である、請求項４に記載の装置。
【請求項６】
無作為に選択するための前記手段（１２）は、
前記適応確率分布に基づいて最適なカテゴリ関連データ（９４）を決定するための手段（９０）と、
前記複数の情報オブジェクトから候補情報オブジェクトを無作為に選ぶための手段（９２）と、
前記最適なカテゴリ関連データ（９４）と前記候補情報オブジェクトに関連付けられている前記カテゴリ関連データ（９６）とに依存する第１の確率で、第１の無作為決定（１００）に基づいて、無作為な方法で前記選択された情報オブジェクトとして前記候補情報オブジェクトを受諾するための手段（９８）とをさらに備え、
無作為に選ぶための前記手段と受諾するための前記手段とは、前記候補情報オブジェクトが拒否される場合に、前記選ぶことと受諾することとを反復するように構成されている、請求項２ないし請求項５のいずれかに記載の装置。
【請求項７】
受諾するための前記手段（９８）は、前記重み付け関連指定とも前記カテゴリ関連データとも異なる追加データに依存する第２の確率で、第２の決定（１０４）に基づいて、前記候補情報オブジェクトをさらに実行し、両方の無作為決定が肯定される場合にのみ、前記候補情報オブジェクトを受諾するように構成されている、請求項６に記載の装置。
【請求項８】
情報オブジェクトの前記再生または再生された情報オブジェクトに対する前記利用者側の拒否挙動が格納されているリストを管理するための手段（７８）をさらに備え、
受諾するための前記手段は、少なくとも前記追加データの一部として前記リストを使用するように構成されている、請求項７に記載の装置。
【請求項９】
前記追加データは、前記候補情報オブジェクトの前記情報の古さを含む、請求項８に記載の装置。
【請求項１０】
前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、前記最適なカテゴリ関連データを決定するための前記手段は、前記最適なカテゴリ関連データとしてカテゴリ重み付けの状況依存の最適なセットを得るために、前記重み付け関連指定と前記状況関連パラメータの前記取り込まれた値とに基づいて前記決定を実行するように構成されている、請求項６ないし請求項９のいずれかに記載の装置。
【請求項１１】
それに格納されている前記情報オブジェクトを有するメモリ（１８）をさらに備える、先行する請求項のいずれかに記載の装置。
【請求項１２】
前記メモリ（１８）は、交換可能なデータ記憶媒体、ＣＤ、ＤＶＤ、ハードディスク、または磁気メモリを含む、請求項１１に記載の装置。
【請求項１３】
放送／無線信号によって放送された情報オブジェクトを受信するための手段と、
所定の置換ストラテジーに従って前記メモリ内の情報オブジェクトを、受信された情報オブジェクトに交換するための手段とをさらに備える、請求項１１に記載の装置。
【請求項１４】
前記置換ストラテジーは、前記適応確率分布に依存する、請求項１３に記載の装置。
【請求項１５】
前記利用者の挙動を取り込むための前記手段（１６）は、前記利用者側の反応を入力するための操作手段を備える、先行する請求項のいずれかに記載の装置。
【請求項１６】
前記利用者の挙動を取り込むための前記手段は、選択された前記情報オブジェクトに準備されている前記情報の前記再生に対する前記利用者側の反応の前記入力を前記利用者側の拒否挙動として解釈するように構成されている、請求項１５に記載の装置。
【請求項１７】
前記利用者の挙動を取り込むための前記手段は、選択された前記情報オブジェクトに準備されている前記情報の前記再生に対して前記利用者側の反応の入力が発生しない場合、これを承認挙動として解釈するように構成されている、請求項１５に記載の装置。
【請求項１８】
前記利用者の挙動を取り込むための前記手段は、２つの入力可能性を備え、選択された前記情報オブジェクトに準備されている前記情報の前記再生に対する前記利用者側の反応の前記入力を、前記第１の入力可能性を用いて、前記利用者側の拒否挙動として解釈し、選択された前記情報オブジェクトに準備されている前記情報の前記再生に対する前記利用者側の反応の前記入力を、前記第２の入力可能性を用いて、前記利用者側の承認挙動として解釈するように構成されている、請求項１５に記載の装置。
【請求項１９】
入力するための前記手段は、ボタン、マイクロホン、カメラ、レバー、またはスイッチを含む、請求項１５ないし請求項１８のいずれかに記載の装置。
【請求項２０】
前記情報は、オーディオおよび／またはビデオデータ、または家庭用補給システムのための反復注文を含む、先行する請求項のいずれかに記載の装置。
【請求項２１】
適応するための前記手段は、取り込まれた挙動が拒否挙動の場合、再生される前記情報が準備されている前記情報オブジェクトに関連付けられているカテゴリに関連付けられている情報オブジェクトが、その後、無作為に選択するための前記手段によって選択される可能性が下がるように、前記適応確率分布を適応するように構成され、および／または、取り込まれた前記挙動が承認挙動の場合、再生される前記情報が準備されている前記情報オブジェクトを有し、それに関連付けられるカテゴリに関連付けられている情報オブジェクトが、無作為に選択するための前記手段によって選択される可能性が上がるように、前記適応確率分布を適応するように構成されている、請求項２ないし請求項２０のいずれかに記載の装置。
【請求項２２】
適応するための前記手段は、前記利用者側の前記取り込まれた挙動が発生する状況を記述する状況関連パラメータの現在値（７０）に基づいて前記適応を実行するように構成されている、請求項２１に記載の装置。
【請求項２３】
前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、適応するための前記手段は、各カテゴリのために、前記それぞれの重み付け値が前記それぞれのカテゴリに関連付けられている状況関連パラメータの前記可能な値が、取り込まれた前記値から外れることが少ないほど、このカテゴリに関連付けられている前記重み付け値が大幅に変更されるように、取り込まれた前記値に基づいて適応を実行するように構成されている、請求項２１または請求項２２に記載の装置。
【請求項２４】
複数の情報オブジェクト（５０）に準備されている情報を再生する方法であって、
選択された情報オブジェクトを得るために適応確率分布（６０）に基づいて情報オブジェクト（５０）を無作為に選択するステップと、
選択された前記情報オブジェクトに準備されている情報を再生するステップと、
選択された前記情報オブジェクトに準備されている前記情報の前記再生に対する利用者の挙動を取り込むステップと、
取り込まれた前記挙動に基づいて前記適応確率分布を適応するステップとを備える、方法。
【請求項２５】
コンピュータプログラムがコンピュータ上で動作するときに、請求項２４に記載された方法を実行するためのプログラムコードを有する、コンピュータプログラム。
【発明の詳細な説明】
【技術分野】
【０００１】
本発明は、オーディオおよび／またはビデオデータの再生などの情報の再生に関し、特に、複数のニュース、複数の音楽または複数のビデオクリップなどの複数の情報の中から選択された情報を再生するための改良されたインテリジェントな方法に関するが、本発明は、家庭用補給システム、すなわち個人の家庭のための自動発注システム、特に食料品の再発注のためのシステムにおいて発生するような種類の情報の再生にも関する。
【背景技術】
【０００２】
特にインターネットの分野において、インターネット上で入手できる多数の情報から、特定のインターネット利用者の個性に基づいてその利用者の関心を引きそうな情報を、要求に応じてまたは一方的に当該インターネット利用者に提示する方法、すなわち個人向けコンテンツを提供するための方法が各種存在する。これらの方法の多くは、要求に応じて、すなわち厳密な指定に従って、コンテンツを提供するか、または設定された詳細なプロファイルに従ってコンテンツを提供する。
【０００３】
一方、他のさまざまな方法は、さまざまな利用者間でそれらの資源を分割し、各利用者が行った選択の相関関係を確立する。したがって、明示的に要求されたコンテンツに加えて、同様のコンテンツを要求した他の利用者によって形成されたオブジェクトの推薦が提示されうる。
【０００４】
既存の方法の欠点は、一方では厳密な要求または極めて詳細な設定の必要である点と、他方では異なった環境および／または状況に対する融通性の無さの点である。さらに、利用者は、複雑な設定を入力することができるように、それぞれのシステムをよく知らなければならない。
【０００５】
したがって、複数の情報から、各人の個性プロファイルに最も適応された情報を、利用者および／または個人側に手間のかかる設定を要求せず、各人の個性に合った方法で、人々に再生することができる情報の再生および／または選択のための改良された方式が必要とされている。理想的な選択肢は、入手可能な多数の情報から、利用者の要望およびニーズ、または全般的に利用者の個性に最も近い情報を、利用者に気付かれずに選択する情報の再生および／または選択の方式である。
【発明の開示】
【発明が解決しようとする課題】
【０００６】
したがって、本発明の目的は、情報再生を利用者に合わせるために利用者側に余分な手間をかけない情報再生方式を提供することである。
【課題を解決するための手段】
【０００７】
この目的は、請求項１に記載の装置と請求項２４に記載の方法とによって達成される。
【０００８】
本発明は、複数の情報からの再生される情報の選択が適応確率分布に基づいて無作為にまたは適応確率分布に基づいて無作為におよびその後に実行され、選択された情報の再生取り込まれた利用者の挙動に基づいて適応確率分布が適応されるときに、利用者にほとんど気づかれず、また利用者側に余分な手間をほとんどかけずに、利用者の要望およびニーズに合うインテリジェントな情報再生方式を提供することが可能であるという知見に基づく。したがって、利用者の挙動は、再生可能な情報および／または再生可能な情報が準備されている複数の情報オブジェクトの中で、１つの情報オブジェクトに準備されている特定の情報が次の再生される情報のために次の無作為選択に追従して受け入れられるか否かの可能性を規定する適応確率分布を適応するための制御された変数として用いられる。
【０００９】
この場合、確率分布の適応のための制御された変数を評価挙動として提供してもらうために利用者にかかる余分な手間は、小さくしうるか、または全廃される。特定の一実施態様によると、利用者のために操作手段が、現在の情報の再生を取り消し、新しい情報を再生することを表すことができるように、すなわち一種のスキップキーが設けられる。この特定の実施態様による単純なボタンとして実施されるこの手段の操作は、利用者側の拒否挙動として評価される一方、特定の情報の再生中にこの手段が操作されなかった場合、利用者側の承認および／または歓迎挙動を表すものと解釈される。いずれにしろ利用者は次の情報オブジェクトを自分自身で選択するために操作手段を操作することになっていたので、利用者にかかる何らかの余分な手間が回避される。それどころか、理想的には、取り込まれた拒否または承認挙動に応じて確率分布を適応するので、いつかは利用者は操作手段の操作による拒否挙動という反応を行う必要がほぼなくなる。
【００１０】
利用者側の拒否挙動が発生すると、今しがた再生された情報オブジェクトの情報が次回再生される可能性が下がると同時に、今しがた再生された情報オブジェクトと同じカテゴリに多少属する情報オブジェクトの情報が再生される可能性も下がるように、確率分布が修正される。この目的のために、各情報オブジェクトは、例えば、その情報オブジェクトを所定の１セットのカテゴリから１つまたは複数のカテゴリに関連付けるカテゴリ関連データを含む。次に、確率分布は、例えば、各カテゴリに、そのカテゴリに関連付けられている情報オブジェクトが次回選択される可能性のレベルを示す少なくとも１つの重み付け値を関連付ける重み付け関連指定によって規定される。
【００１１】
本発明の特定の一実施態様によると、このカテゴリ関連データは、それぞれの情報オブジェクトを個々のカテゴリにそれぞれのカテゴリ重み付けによって関連付ける１セットのカテゴリ重み付けによって形成されている。このように、ある音楽のライブ録音は、例えば、娯楽としても音楽としても分類することができるが、必要であれば異なった程度に、および／または、異なったカテゴリ重み付けで分類することもできる。したがって、この実施態様において、利用者側の否定挙動の影響を最も受ける情報オブジェクトは、利用者が拒否挙動を示した情報のための情報オブジェクト以外では、同じカテゴリまたは複数のカテゴリに関連付けられている情報オブジェクト、および／または、より具体的には、最高のカテゴリ重み付けと同じ（複数の）カテゴリ重み付けに関連付けられている情報オブジェクトである。
【００１２】
本発明のさらに好ましい実施態様が添付図面を参照して後により詳細に説明されるが、これらの図としては：
図１は、本発明の一実施形態による情報再生のための装置のブロック図であり、
図２は、本発明の特定の実施形態による図１の装置の動作モードを説明するための基本的な図である。
【発明を実施するための最良の形態】
【００１３】
最初に、図１は、本発明の一実施形態による情報再生のための装置の基本的なアーキテクチャを示す。
【００１４】
この図から分かるように、全体が１０で示されている図１の情報再生装置は、制御手段１２と、再生手段１４と、再生手段１４による情報再生に対する装置１０の利用者側の挙動を取り込むための手段１６と、それぞれ１つの再生可能な情報が準備されている複数の情報オブジェクトを格納するためのメモリ１８と、以下により詳細に説明されるように、それに格納され、情報の選択を利用者の個性に適応するために制御手段１２によって要求される例えば確率分布などのデータを有するメモリ２０とを含む。
【００１５】
装置１０のアーキテクチャを構成要素に関して説明したので、以下にその動作モードと構成要素間の相互作用とについて説明する。
【００１６】
図１の情報再生装置１０は、自律的に、すなわち再生される情報オブジェクトを選ぶことについては利用者側の直接の介入なしに、メモリ１８に準備されている複数の情報オブジェクトから複数の情報オブジェクトを連続的にまたは断続的に、あるいは何れか他の順番で選択し、選択された情報オブジェクトに準備されている情報を再生するように設けられる。ここでの選択は、制御手段１２によって実行され、制御手段１２は、この目的のために、メモリ１８内の情報オブジェクトにアクセスできる。再生は、再生手段１４によって実行され、再生手段１４は、この目的のために、制御手段１２によって制御される。
【００１７】
選択動作が純粋に無作為に実行されないように、または利用者の個性に適合しない基準によって実行されないように、メモリ２０はそれに格納されている１つの確率分布を有し、この確率分布によって、各情報オブジェクト１８のために、情報オブジェクトが選択され、選択された場合に受け入れられる可能性のレベルが規定される（図２の１０６参照）。メモリ２０に格納されている確率分布は適応性があるので、以下に説明するようにこの確率分布を適応できるように、制御手段１２は、読み出しのためだけでなく、書き込みのためにもメモリ２０に効果的に接続される。確率分布２０を適応するために、制御手段１２は、選択された情報オブジェクトの再生された情報に対する利用者の挙動に関するデータを手段１６から得て使用する。
【００１８】
情報オブジェクトに準備されている情報の種類、再生手段１４におけるこの情報の再生、およびこの情報再生後の利用者の挙動は、情報再生装置１０の使用目的に応じて、極めてさまざまな形式および形状を取りうる。ただし、図１の装置１０の動作モードの説明を分かりやすく例示するために、以下の説明において、図１の情報再生装置１０は、例えば車両内のラジオのようにオーディオデータを再生するために設けられている装置であると想定する。この場合、例えば、情報オブジェクト内の再生される情報は、ＭＰＥＧファイルなどのオーディオデータから成る。
【００１９】
このオーディオデータ自体は、情報オブジェクトごとにまったく異なっていてもよく、例えば、ニュース、音楽、広告、実況放送、コメディー、交通ニュース、ラジオドラマまたは天気予報に関するものでもよい。多数の情報オブジェクトを大別および／または細分化して複数のグループにまとめられるように、各情報オブジェクトは、その実際の情報に加え、カテゴリ関連データをさらに含み、このカテゴリ関連データによって、各情報オブジェクトは徐々に、具体的には重み付けによって、または絶対的な項目、つまりイエスかノーによって、所定の１セットのカテゴリのうちの１つまたは複数のカテゴリに関連付けられる。可能なカテゴリ分類としては、例えば、「音楽」、「クラシック音楽」、「ニュース」、「テンポ」、「エネルギー」などが挙げられ、および／または、異なったオーディオデータの多様性を表すために上で用いられたような異なった種類のオーディオデータを表す上述の用語が含まれる。この１セットのカテゴリは、拡張可能にも固定的にもできる。
【００２０】
一例を示すと、ビートルズによる音楽は、例えば、音楽、テンポおよびエネルギーの各カテゴリに関連付けられる。これらの関連付けのそれぞれに重み付けを割り当てることもできる。例えば、ビートルズによる音楽は、カテゴリ関連データによって「音楽」のカテゴリには完全に、つまり１００％関連付けられるが、「テンポ」および「エネルギー」のカテゴリには小さい程度だけ関連付けられる。
【００２１】
オーディオデータを再生する情報再生装置１０の場合、再生手段１４は、例えば、自動車のスピーカなどの適切なスピーカまたはイヤホンによって形成される。この場合、情報オブジェクトに準備されている情報および／またはオーディオデータは、利用者に直接再生され、すなわち、再生先と再生結果の位置は、全く同一の場所、すなわち利用者である。装置１０のさらなる適用例に関して後で示されるように、これは、必ずしもその場合であることを要しない。
【００２２】
オーディオデータの実施形態によると、メモリ２０内の確率分布は、重み付け関連指定によって規定され、重み付け関連指定は、特定のカテゴリとの関連付けによって規定されている情報オブジェクトの各グループに少なくとも１つの重み付け値を関連付け、さらに／または、各カテゴリに少なくとも１つの重み付け値を関連付けるものである。これらの重み付け値は、メモリ１８内の情報オブジェクトから、再生される次の情報オブジェクトを無作為に選択する際に制御手段によって用いられ、この無作為選択において、制御手段１２は、メモリ２０内の重み付け関連指定または重み付け関連テーブルに従って、重み付け値がより大きい１つまたは複数のカテゴリに関連付けられている情報オブジェクトを選択する可能性がより高い。メモリ２０内の重み付け関連指定の重み付け値によって規定されるような確率分布を決定するために、情報オブジェクトと個々のカテゴリとを徐々により強くまたはより弱く関連付ける上述のカテゴリ重み付けが存在する場合、制御手段はこれらのカテゴリ重み付けも使用できる。
【００２３】
さらに、制御手段１２は、一部のカテゴリの範囲がより広く、一部のカテゴリの範囲がより狭いことを考慮できる。例えば、「ロック」のカテゴリは「音楽」のカテゴリの純粋なサブセットであるので、「音楽」のカテゴリは、「ロック」のカテゴリより多くの情報オブジェクトに適用可能である。このような観点から、「ロック」のカテゴリのための重み付け値は、音楽の重み付けカテゴリのための重み付け値より、関連付けられている情報オブジェクトにより適用可能であり、これは、個々のカテゴリに関連付けられ、情報オブジェクト間の確率分布の規定のためにおよび／または選択にも用いられるカテゴリサイズ重み付け値によって、制御手段１２により考慮できる。
【００２４】
上述のように、メモリ２０内の確率分布に基づいて制御手段１２によって無作為に実行されるこの選択プロセスは、今しがた再生されたオーディオファイルの最後に到達したときに利用者側の要求に応じて実施されてもよく、または、別のシステムによって、例えば、交通量を監視し、交通量が少ないときにのみオーディオ再生を可能にする手段によって制御される方法で実施されてもよい。
【００２５】
制御手段１２は、選択を行った後、選択した情報オブジェクトのオーディオ情報を再生手段１４に出力し、再生手段１４は、このオーディオ情報を利用者に再生する。
【００２６】
利用者に複数のオーディオコンテンツが連続的にまたは断続的に出力または再生される情報オブジェクトを選択する制御手段１２による選択プロセスの根拠となる確率分布が不変であると、利用者の個性に従って聞きたくないオーディオ情報で利用者が「悩まされる」事実に関して利用者が困るという高い危険性がある。言い換えると、利用者は再生された情報のいくつかを内心で拒否する一方で、他の情報またはその再生を承認または歓迎する。さらに言い換えると、装置１０の利用者は、再生された情報、または対応する情報オブジェクトを外部評価によって評価し、この外部評価は「良い」、「悪い」または「平均的」と言い換えることもできる。利用者の内部評価を装置１０のために検出可能にし、適応フィードバック量としてそれを使用することができるようにするために、手段１６は情報再生に対する利用者の挙動を取り込む。次に、利用者側のこの外部挙動は、評価されることができ、すなわち、利用者が再生された情報を好まないことを意味する利用者側の拒否挙動として、または、利用者が再生された情報を歓迎しさらに／またはそれを好むことを意味する承認挙動として解釈されることができる。
【００２７】
最も単純な事例では、手段１６は、利用者が再生された情報を好まないことを装置１０に知らせるために利用者が操作することができるボタンで構成されてもよい。同時に、この操作は、以下に説明するように、それに応じて、適応後の確率分布に基づいて情報オブジェクトの更新選択を実行するために制御手段１２によって用いられることができる。勿論、スイッチ、レバー、音声入力など、ボタン以外の装置も操作手段として使用することができる。何れの場合も、制御手段１２は、特定の操作を現在の再生に応答する利用者側の拒否挙動として、状況によっては徐々に重み付けで、解釈することができる。例えば、制御手段は、現在のオーディオ情報の再生時点から利用者が上述のボタンを押すまでの経過時間に基づいて、現在再生されているオーディオ情報を利用者がどの程度「嫌っている」のかを導き出す。
【００２８】
制御手段１２は、拒否挙動を確認すると、今後、選択プロセスが利用者の嗜好および好みにより適応されるように、メモリ２０内の確率モデルを適応しようとする。取り込んだ利用者側の拒否挙動に応じて、制御手段１２は、利用者の拒否が関係していた情報オブジェクトに関連付けられている各カテゴリについてこのカテゴリのための重み付け値を減らし、具体的には、今しがた再生された情報オブジェクトのカテゴリ関連データにおけるカテゴリ重み付けを用いる場合、この情報オブジェクトがその個別のカテゴリに関連付けられているカテゴリ重み付けに依存する程度を用いる。この方法によって、これらのカテゴリのための重み付け値が他のカテゴリのための重み付け値より下げられるので、これらのカテゴリの情報オブジェクトが次回選択される可能性が下がる。
【００２９】
利用者側の拒否挙動のみを取り込むことも可能であるが、これに加えて、または代わりに、メモリ２０内の確率分布を適応する際に利用者側の承認挙動を用いることも可能である。再び手段１６のための上述の実施形態において、具体的には手段１６としてのボタンに関して、制御手段１２は、特定のオーディオ情報の再生中にボタンが押されなかった事実を、承認挙動を表すものとして、すなわち、その再生中にボタンが押されなかったオーディオ情報を、利用者が歓迎する、および／または、好むと解釈することができる。承認挙動が発生した場合、制御手段１２が取るアプローチは、上述とは逆であり、制御手段１２は、できる限り現在の情報オブジェクトのカテゴリ重み付けを考慮しながら、利用者側の承認挙動が関係した情報オブジェクトが関連付けられているカテゴリの重み付け値を増やす。さらなる可能性は、手段１６として２つのスキップボタンを使用することである。一方のスキップボタン、例えば右にスキップするボタンの操作によって、現在のオブジェクトの再生が取り消されるのであれば、このボタンの操作は現在の情報オブジェクトに対する拒否挙動と評価される。もう一方のスキップボタン、例えば左にスキップするボタンの操作によって、現在のオブジェクトの再生が取り消され、現在のオブジェクトの前に再生されたオブジェクトの再生が反復されるのであれば、このボタンの操作は現在のオブジェクトの前に再生された情報オブジェクトに対する承認挙動と評価される。
【００３０】
手段１６の上述の例、すなわち情報再生に対する利用者側の挙動を取り込むためのボタンは、情報再生に対する利用者側の積極的な反応と情報再生に対する特定の反応の不在とを、それぞれ、拒否挙動または承認挙動と評価できることを示した。上述では無反応を承認挙動の表現と解釈し、積極的な反応を拒否挙動と解釈したが、逆のアプローチまたは混在のアプローチも可能である。例えば、オーディオデータ再生装置１０には、自動車内のラジオのように、再生中のオーディオファイルの聴取を利用者自身が喜んでいることを表したい場合に利用者が押すように設けられているボタンが備えられてもよい。このボタンを数回押すことは、さまざまなステージにおいて徐々に評価に使用できる。挙動を決定するための音声入力の場合、評価は、利用者によって「良い」、「悪い」などの言葉を入力することができる。
【００３１】
上述では、図１の情報再生装置１０は、オーディオデータの再生という背景で説明された。次に、図１の情報再生装置１０は、特に、例えば、なくなったかまたは少なくなった食料品を再注文するために、家庭用補給システムの枠組みで使用されるという背景で説明される。この場合、情報オブジェクトは、特定の命令、すなわち特定の食料品の調達および／または再注文に関する命令を含んでいる情報を含む。選択プロセスにおいて制御手段１２により選択された情報オブジェクトの情報は、制御手段１２によって再生手段１４に転送され、この事例では、再生手段１４は、例えばモデム、インターネット端末、ファックスまたは別の通信装置として構成され、この情報によって規定された注文を商店主に転送すると、この商店主は、この注文に従って注文された食料品を装置１０および／または家庭用補給システムの利用者の住所に、例えば郵送または何れか他の配送サービスによって配送する。家庭用補給システムによって注文され、利用者に配達されたすべての食料品は、最終的に利用者の冷蔵庫（図示せず）に到達する。情報再生装置１０が食料品の注文に使われる場合、再生情報の受信者すなわち商店主の位置と、再生結果すなわち冷蔵庫および／または利用者の位置とは、結果的に一致しない。これらの２つの位置の「関連」は、配送サービスと発注接続とによって実行される。
【００３２】
この家庭用補給システムの実施形態によると、情報再生装置１０は、利用者の冷蔵庫が常に一杯であることを保証する。冷蔵庫内にある食料品を利用者の嗜好に合わせて選択するために、制御手段１２は、メモリ２０内の確率分布の使用によりメモリ１８内の情報オブジェクトを無作為に使用し、以下に説明するように、利用者の挙動に基づいて確率分布２０を適応する。メモリ１８内の情報オブジェクトに準備される注文は、「果物」、「甘味」、「酸味」、「脂肪性」、「軽い」、「インドの」、「野菜」、「アジアの」、「糖尿病患者に適した」、「菜食主義者用」などのカテゴリのように、特定のカテゴリに分類されうる異なった食料品のそれぞれの注文に関する。
【００３３】
各情報オブジェクトは、これらのカテゴリの１つまたはいくつかにより強くまたはより弱く関連付けられる。メモリ２０において、各カテゴリは、それに関連する重み付け値を有し、すべての重み付け値は、できる限り情報オブジェクト内のカテゴリ関連データのカテゴリ重み付けと、カテゴリサイズを考慮した上述の重み付けとともに、メモリ１８内の情報オブジェクト間の確率分布を規定する。
【００３４】
情報再生に対する利用者の挙動を取り込むための手段１６は、例えば、冷蔵庫から食料品を取り出す挙動を取り込む。この目的のために、冷蔵庫は、例えば、手段１６として、利用者が食料品を、そこを通過させると、冷蔵庫から食品が取り出されたことを通知するバーコードリーダーを含む。しかしながら、手段１６は、オブジェクト認識付きのカメラとして設けられてもよい。何れの場合も、制御手段１２は、冷蔵庫に収容されている食料品が何であるかを常に認識し、すなわち、今しがたどの食品が引き出され、今しがたどの食品が冷蔵庫に配置または交換されたかを認識している。
【００３５】
発注に対して利用者によって示され、手段１６によって取り込まれた挙動は、メモリ２０内の確率分布および／または重み付け値を変更するために制御手段１２によって用いられる。例えば、冷蔵庫内に常に果物が残り、腐ってしまう状況から、制御手段１２は、「果物」、「柑橘類の果物」などのカテゴリのための重み付け値を下げることを決定するので、以降の注文では、果物などが注文される可能性が下がるように、確率分布が適応される。逆に、ヨーグルトが冷蔵庫に届けられると直ちに利用者が冷蔵庫からヨーグルトを取り出すという事実から、制御手段１２は、例えば、利用者の挙動が承認であると決定でき、したがって、それに応じて、メモリ２０内の「ヨーグルト」のカテゴリのための重み付け値ばかりでなく、例えば「乳製品」などのカテゴリのための重み付け値も増加する。
【００３６】
図１を参照して最後に説明した実施形態は、手段１６を極めて多様な方法で構成できることを明らかに示した。全般的に、手段１６は、利用者の挙動を、再生された情報に関する利用者側の承認および／または拒否挙動として制御手段１２が推測しうる信号に変換できる必要があると言える。この目的のために、手段１６は、上述のように、再生された情報オブジェクトに対する反応および／または無反応を取り込むときに、そのような種類の拒否および／または承認挙動を推定できるように、情報再生に対する利用者側の特定の反応および／または無反応を感知できる必要がある。
【００３７】
上述の説明は、各カテゴリのために１つの重み付け値のみがメモリ２０内に格納されることを想定したものであった。つまり、これは、図１の装置の上述の機能説明が、１つの適応確率分布および／または重み付け値の適応テーブルのみが情報オブジェクトの選択を適応するために使われるという想定に基づいていることを意味する。多くの適用において、このアプローチは、特に、利用者がその拒否または受諾をその挙動によって表す状況に関係なく、利用者の好みが常に同じである場合、満足の行く結果をもたらすことができる。ただし、常にそうであるとは限らない。図１の装置がオーディオ情報再生装置として使用された前の使用例において、例えば、通勤途中の自分の自動車に座っている午前中と、仕事から家に帰り疲れている午後とでは、利用者にとって異なった好みおよび／または要望を有する可能性があり、その可能性が高い。この場合、カテゴリごとに１つだけの重み付け値を有し、および／または、１つだけの適応確率分布を有する適応結果は、実際には午前中と午後とでは同一でない利用者側の特定の好みまたは要望に確率分布が全く適応できないので、十分ではない。この理由のために、図１の装置の動作モードの次の実施形態において、いくつかの重み付け値および／またはいくつかの適応確率分布は、利用者が置かれる異なった状況に準備される各カテゴリのために最終的に準備される。前のオーディオ再生例において、利用者が現在置かれた状況を記述するために適した状況依存パラメータは、例えば時間である。上述の家庭用補給システムの例において、例えば、夏はより軽い食物、例えばサラダを食べる機会が多く、冬はより固形食、例えば焼いた食物を食べる機会が多いことから、利用者の食事の好みについて夏と冬とで異なることがかなり可能性がありその可能性が極めて高いため、「夏」と「冬」とを区別することが有効である。食習慣は、例えば、勤務日と週末とで異なりうる。さらなる状況関連パラメータは、それぞれの適用に関係する時期、曜日およびさらなる環境パラメータであってもよい。
【００３８】
したがって、図１の装置の動作モードを、当該装置がオーディオ再生装置として機能するさらなる実施形態に関して、図２を参照しながら、より詳細に説明する。この実施形態によると、メモリ１８に格納されている情報オブジェクト中の各情報オブジェクト５０は、情報オブジェクト５０の実際の情報が準備されている情報データ５２に加え、上述のカテゴリ関連データに対応するオブジェクト固有パラメータ５４を含み、オブジェクト固有パラメータ５４は、情報データ５２に含まれている実際の情報を記述するほか、上記のカテゴリ重み付け値５６を含み、各カテゴリ重み付け値５６は、特定の１つのカテゴリ５８に関連付けられ、その特定の１つカテゴリ５８のために、そのカテゴリ５８に当該情報オブジェクト５０がどれだけ強く関連付けられているかを示す。図２に一例として挙げられているカテゴリは、音楽、クラシック音楽、ニュース、テンポおよびエネルギーである。例として、カテゴリ重み付け５６は、パーセント値で示されているが、他の表記法も可能である。
【００３９】
メモリ２０に格納されているグローバル重み付けデータ６０は、適応確率分布を規定するために使用される。各カテゴリ５８のために、このグローバル重み付けデータは、図１に関して上述のように、１つの重み付け値を含むだけでなく、状況関連パラメータの異なった可能な値に関連付けられている複数の重み付け値も含む。利用者が置かれている状況をより細かく分類できるように、図２の実施形態に従って、いくつかの状況関連パラメータ６２が準備され、これらの状況関連パラメータ６２のそれぞれのために、メモリ２０内のグローバル重み付けデータ６０は、カテゴリ５８ごとに複数の重み付け値を含み、具体的には、それぞれの状況関連パラメータの可能な量子化値ごとに１つの重み付け値を含む。図２に、状況関連パラメータ６２の代表例が、「時刻」、「気分」、「位置」および「天気概況」で示されている。例えば、ＮKがカテゴリ５８の数であり、ＮSPが状況関連パラメータ６２の数であり、ｎSP（１）が第１の状況関連パラメータのための識別可能な量子化値の数であり、ｎSP（２）が第２の状況関連パラメータのための量子化値の数であるなどとすると、グローバル重み付けデータ６０は、重み付け値
2007535048.tif 000003
の数から成る。
【００４０】
グローバル重み付けデータ６０をテーブル形式で格納する代わりに、図２に示すように、カテゴリ５８および状況関連パラメータ６２の各タプルのために、時刻のための状況関連パラメータｔ、気分のための状況関連パラメータｓ、位置のための状況関連パラメータｐ、および天気概況のための状況関連パラメータｗを、それぞれ、重み付け値ｇにマッピングする関数の解析コースを格納することも可能である。
【００４１】
図１に関して説明した各実施形態に関して、メモリ２０内の重み付け値による確率分布の規定に関する違いについて、図２を参照しながら説明したので、次に、図１の装置の動作モードを図２の実施形態の枠組みにおいて説明する。図２の実施形態においても、装置１０は、グローバル重み付け６０によって規定される適応確率分布を用いて、メモリ１８内の複数の情報オブジェクトから複数の情報オブジェクトを連続的に無作為に選択し、選択された情報オブジェクト内の情報の再生に対する利用者の挙動に基づいて、グローバル重み付けデータ６０を適応するように設けられる。
【００４２】
図１を直接参照しながら説明した各実施形態と異なり、図２の実施形態による装置１０では、情報再生に対する利用者の挙動が利用者挙動取り込みプロセス６４において取り込まれるほか、現在の状況関連パラメータが状況取り込みプロセス６６において取り込まれる。状況関連パラメータの取り込みは、図１に破線で表されている状況パラメータ取り込み手段６８によって実行される。状況取り込みプロセス６６の結果は、状況関連パラメータのための取り込まれた値であり、すなわち、この例では、現在の時刻、利用者の現在の気分、利用者の現在の位置、および現在の天気概況である。この目的のために、装置６８は、時刻を取り込むための時計と、パターン認識付きのボイスアナライザと、カメラデバイスと、ステアリングホイールに設けられた心拍数センサと、利用者の音声を認識するために挙動パターンを総合的に評価するための手段またはボイスレコーダと、利用者の位置を検出するためのＧＰＳセンサと、天気概況を検出するための明るさ、湿度、気圧および風速の複合センサとを備えてもよい。状況関連パラメータの現在値は、図２に７０で示されている。
【００４３】
情報オブジェクト５０の中からの現在の選択の「外部評価」を明白に表す利用者側の拒否または承認挙動を挙動取り込み６４が取り込むと、直ちに、この外部評価が、状況関連パラメータの関連付けられている現在値７０とともに、評価プロセス７２に入力される。評価プロセス７２は、前の各実施形態の枠組みで図１に関して上述された、重み付け値の適応にかかる。外部評価と、状況関連パラメータの現在値７０とに基づく重み付け値の適応は、アクション矢印７４で示されている。適応７４は、以下の方法で実行される。挙動取り込み６４が負の外部評価、または再生中の情報データ５２の情報オブジェクト５０に対する拒否挙動を出力すると、評価プロセス７２は、グローバル重み付けテーブル６０を適応するために、この現在の情報オブジェクト５０のオブジェクト固有パラメータ５４と、状況関連パラメータの現在値７０とを用いる。
【００４４】
具体的には、利用者側の拒否挙動が発生すると、評価プロセス７２は、状況が同じであるか同様である限りは、すなわち状況関連パラメータが現在値７０と同様の値を有し、および／または、メモリ２０内のこのような重み付け値が現在値７０と同じか同様の状況パラメータ値に関連付けられている限りは、その後、現在の情報オブジェクト５０と同様のオブジェクト固有パラメータ５４を有する情報オブジェクトが選択される可能性が下がるように、グローバル重み付けテーブル６０に作用する。より具体的には、評価プロセス７２は、同一のカテゴリ５８と、同一の状況関連パラメータ６２とに関連付けられているすべての重み付け値のうち、この状況関連パラメータの現在値に最も近い重み付け値を最も大きく減らす。言い換えると、それぞれの重み付け値が関係付けられている状況が現在の状況７０から離れているほど、利用者の拒否挙動に基づく適応の影響は小さい。これは、例えば、午前中、具体的には例えば午前８時にロック音楽を拒否した利用者は、午前９時、さらには午前１０時にもおそらく同じ決定をするだろうが、正午、例えば職場での昼休みには、ロック音楽を再び聴きたくなるかもしれないということを考慮している。したがって、同様の状況に関係する複数の重み付け値にも反映されるように、適応７４中に利用者側の拒否挙動がいくらか放射状に広がる。この方法で、適応を加速できる。
【００４５】
評価プロセス７２は、同じ状況に、すなわちそれぞれの状況関連パラメータ６２の同じ可能な値に関連する複数の重み付け値のうち、現在の情報オブジェクト５０がオブジェクト固有パラメータ５４によって最も強く関連付けられているカテゴリ、すなわちこのオブジェクト５０のオブジェクト固有パラメータ５４のカテゴリ重み付け５６が最も高いカテゴリに関係する重み付け値を最も減らす。これは、ロック音楽に対する拒否挙動の結果としてニュースの再生頻度が下がることはないが、ロック音楽および同様に高エネルギーの音楽が再生される可能性が圧倒的に下がることを考慮している。別の例は、ポップとの関連付けが１００％であって、さらにジャズの影響が２０％である音楽の拒否となろう。この例において、重み付けはグローバルなジャズ評価において２０％の影響を有するだけである。上述のように、一部のカテゴリが多数のオブジェクトに関係付けられ、一部のカテゴリが前者の純粋な下位グループであってより特化されたオブジェクトのより小さいグループに関係付けられていることを考慮するために、適応７４はカテゴリ５８に固定的に関連付けられている重み付けによって影響が与えられてもよい。
【００４６】
肯定的な外部評価または利用者側の承認挙動が発生した場合、評価プロセス７２は、適応７４において、前の説明とは正反対の処理を行い、具体的には、値を減らす代わりに増やし、適応が同じ方法で行われ、すなわち、それぞれの重み付け値が関係する状況関連パラメータの値が現在値７０に近いほど、値を増やし、この承認挙動が関係するオブジェクト５０のオブジェクト固有パラメータ５４において、それぞれの重み付け値が関係するカテゴリのカテゴリ重み付け５６が高いほど、値をより増やす。
【００４７】
図２のさらなる説明において、挙動取り込み６４に対して、現在の情報オブジェクトの再生を取り消し、これによって拒否挙動を表すために、利用者によって使用されるボタンとして構成されている挙動取り込み手段１６が使用されることを想定している。情報オブジェクトの再生中に利用者がこのボタンを操作しなければ、これは肯定挙動と評価される。
【００４８】
利用者が挙動取り込み手段１６のボタンを押すと、評価プロセス７２は、この挙動を、更新７６の枠組み内で、例えばグローバル重み付けテーブル６０とともにメモリ２０に格納されているオブジェクト固有重み付けテーブル７８に入力する。評価プロセス７２は、利用者側の何れの拒否挙動もオブジェクト固有重み付けテーブル７８に格納する。具体的には、利用者側の拒否挙動が発生すると、評価プロセス７２は、その拒否挙動が関係していた情報オブジェクト５０のためのインデックスを、その拒否挙動が発生した状況関連パラメータの現在値７０とともに、オブジェクト固有重み付けテーブル７８に入力する。拒否挙動をロギングすることは、以下により詳細に説明するように、情報オブジェクト選択プロセスをより迅速に適応する働きをする。テーブル７８はサイズが限られている。したがって、利用者側の現在の拒否挙動を入力するとき、評価プロセス７２は、ＦＩＦＯ（先入れ先出し）ストラテジーなどの適切な置換ストラテジーによって、以前の拒否挙動に対応する旧エントリを置換する。テーブル７８のサイズは、例えば、拒否挙動に関して１，０００個のエントリを含むことができる。
【００４９】
図２の実施形態では、上述のように、利用者はボタンを押すことによって拒否を表すと想定される。ボタンが押されると、上述の更新７４および７６が行われる。ただし、このボタンを押すことによって、次の選択プロセス８０の起動も行われ、その理由は、利用者は、このボタンを押すことによって、拒否挙動を表すばかりでなく、現在の再生を停止して割り込み、代わりに新しい情報オブジェクトを再生するようにシステムに伝えるからである。ボタンを押すことによる起動は、図２に矢印８２で示されている。図２の選択プロセス８０は、２つのステージの選択プロセスである。第１のステージは、図２に８４で示され、図１に関して既に説明した、グローバル重み付け６０に基づく選択プロセスに対応する。第２のステージは、図２に８６で示され、オブジェクト固有重み付け７８に基づく。
【００５０】
図２の実施形態によると、選択プロセス８０の第１のステージ８４は、制御手段１２によって次の方法で実行される。先ず、制御手段１２は、グローバル重み付けデータ（８８）を利用することによって、計算プロセス９０において、グローバル重み付けデータ６０に従って、最も高い確率が関連付けられているオブジェクト固有パラメータを計算する。言い換えると、制御手段１２は、計算プロセス９０において、１セットのカテゴリ重み付け５６を、特に各状況関連パラメータの現在値７０に関して、グローバル重み付けデータ６０によって規定されている確率分布に従って、このセットがそれに関連付けられた最も高い選択確率を有するように、計算する。このようなオブジェクト固有パラメータを有するオブジェクトがメモリ１８内の情報オブジェクトの中に実際に存在する場合、現在の状況を考慮して、このオブジェクトが受け入れられる可能性が最も高いことになる。状況が異なれば、グローバル重み付けデータが同じであっても、勿論、計算プロセス９０の結果は異なったセットになる。したがって、この計算結果として生じる１セットのカテゴリ重み付けは、言い換えると、各カテゴリ関連の拒否／受諾の状況依存程度を示す。
【００５１】
これにも拘わらず、制御手段１２は、無作為プロセス９２において、メモリ１８内の情報オブジェクトから無作為に選択する。無作為プロセス９２は、例えば同じ確率の各情報オブジェクトを選択する。しかしながら、適応確率分布とは異なり、固定されている異なった確率部分を、ステップ９２のために準備することもできる。
【００５２】
両プロセス９０および９２は、２セットのカテゴリ重み付けを導き出し、具体的には、上述のように、状況依存である計算プロセス９０からの、計算された最適なオブジェクト固有パラメータセット、および／または、カテゴリ重み付けの最適なセット９４と、無作為プロセス９２において選択された情報オブジェクト５０のオブジェクト固有パラメータ５４に対応するカテゴリ重み付けのセット９６とを導き出す。両セット９４および９６は、選択プロセス８０の第１のステージ８４を終わるために、制御手段１２によって実行されるパラメータ比較９８のための入力データになる。具体的には、パラメータ比較９８において、２セット９４および９６から、例えば２つのカテゴリ重み付けベクトル９４および９６のスカラー乗算によって、１つの確率値が形成され、この確率値は、無作為プロセス９２で選択されたオブジェクトがこの確率値に基づいて無作為に受諾または拒否されるように、無作為プロセス１００で利用される。無作為プロセス９２で選択された情報オブジェクトが受諾される確率が高いほど、選択されたオブジェクトのオブジェクト固有パラメータ９６は、最適なオブジェクト固有パラメータ９４により対応する。
【００５３】
パラメータ比較９８の無作為プロセス１００が拒否に至ると、プロセス９０および９２は、「拒否による再選択」と記されている矢印１０２で示されているように、再び実行される。ステップ９２で無作為に選択されたオブジェクトがパラメータ比較９８で受諾されると、この情報オブジェクトは、さらなる受諾／拒否ステージ、すなわち選択プロセス８０の第２のステージ８６に送られ、このシーケンスは、図２に「受諾」という見出し付きの矢印で示されている。
【００５４】
ステージ８６は、正当性検証プロセス１０４を含み、正当性検証プロセス１０４は、矢印１０６で示されているように、特に、オブジェクト固有重み付けデータ７８に基づく。正当性検証１０４は、無作為および／または絶対である。例えば、正当性検証１０４において、データ７８が選択プロセス８０の第１のステージ８４で選択された情報オブジェクトに関係するエントリを含むかどうかと、このエントリが現在値７０から所定の限度以下で異なった状況関連パラメータ６２のための値を示すかどうかとに対して検証が実行される。これは、利用者が、最近、同様の状況において、この情報オブジェクトを拒否したことを意味する。決定的な正当性検証１０４において、これは拒否に至る。重み付けされた無作為プロセス１０４の場合、各状況関連パラメータのために、テーブル７８のエントリに見られる値と現在値７０との差に応じて、拒否の確率が変わりうる。このように、この正当性検証は、低速な適応７４がその上流に接続されているより高速な適応７６を有することになる。
【００５５】
正当性検証１０４は、正当性検証のためのさらに別の基準を利用することができる。例えば、図２に示されていない別のリストに、評価プロセス７２は、再生された情報オブジェクトをロギングする。これらの情報オブジェクトの例えば２時間以内の即時の反復は、例えば、ステージ８４を通過したオブジェクトがステージ８６で拒否される正当性プロセス１０４において回避することもできる。さらに、正当性検証プロセス１０４は、受諾または拒否の決定を行うために、現在検証されるオブジェクト内のデータを利用することもできる。例えばニュース情報オブジェクトの場合、ニュースの古さまたはニュースの話題性は、プロセス１０４に取り込むこともできる。ニュースが古くなるほど、正当性検証プロセス１０４を通過して受諾される確率は低くなる。
【００５６】
正当性検証プロセス１０４の結果が「拒否」であると、選択プロセス８０は、矢印１０２で示されているように、プロセス９０および９２を再開する。拒否されるたびに、以降の実行のための拒否基準の検証の厳密度は、選択が最大の実行回数の後で行われることを確実にするために、狭められる。しかしながら、オブジェクトが「受諾」で第２のステージ８６も通過した場合、このオブジェクトは、選択プロセスで選択されたオブジェクトになり、矢印１０８で示されているように、オブジェクトの選択結果として再生手段１４に出力される。選択されたオブジェクトの再生以降、矢印１１０で示されているように、挙動取り込み６４は、今しがた選択されたこのオブジェクトに関する。これによって、利用者側の評価を適応の根拠として含む適応７４および７６のためのフィードバックループが閉じる。
【００５７】
言い換えると、図１および図２の装置は、それぞれ、個人向け情報選択に結果としてなる。図２の実施形態において、状況および環境反応が装置側の挙動に影響するで、「情報選択」を情報の選択的な記憶および再生という意味に解釈することができる。このアプローチは、前の情報選択に対する環境反応に従って望まれる選択挙動に近づくフィードバックシステムに対応する。環境反応は、いくつかの入力変数、すなわち、さまざまな環境パラメータ、または状況関連パラメータ、および選択評価および／または外部評価を用いて予め定義されている。外部評価は、外部評価手段によって、例えば利用者によって、既に選択されているオブジェクトを用いて生成される。
【００５８】
選択される情報は、互いに独立した複数のオブジェクトとして構築されて格納されている。上の各実施形態において、１つのオブジェクトは、純粋な情報データと、オブジェクト内容を記述したオブジェクト固有パラメータとから構成されている。システムが反応する環境は、状況関連パラメータによって記述されている。
【００５９】
例えば、図１の装置が図２の実施形態に従って初期化されると、最初に、利用可能ないくつかのオブジェクトから均等分布確率的無作為プロセスによってオブジェクトが選択される。以降の確率的選択プロセスのために、選択確率６０が前の外部評価と現在の状況とに応じて調整される。これを図２の実施形態に関してより具体的に表現すると、メモリからの選択は常に無作為に行われるが、受諾の確率は継続的に調整される。評価が与えられまたは形成された状況から現在の状況がかけ離れているほど、外部評価および／または利用者による決定が現在の選択プロセスおよび／または同様の状況における以降の選択プロセスに及ぼす影響は弱くなり、これを本願明細書では逓減方式と呼称する。
【００６０】
上述の各実施形態は、選択基準の詳細な指示が与えられなくても外部環境反応を考慮しながら、情報の個人向け選択が可能である。これらの実施形態において、利用者側の複雑な積極的関与は回避される。
【００６１】
図２に従って機能する図１の装置の１つの可能な使用例は、カーラジオのために利用者の好みに従ったオーディオオブジェクトの選択である。オーディオオブジェクト５０は、音楽などの純粋な情報データ５２に加えて、例えば、音楽、ニュース、広告などのオブジェクトの種類と、オブジェクトの長さと、ロック、クラシック音楽、テクノ、またはスポーツ、経済、外国などのオブジェクトのカテゴリとのようなオブジェクト５０を記述するオブジェクト固有パラメータ５４も含む。可能な状況関連パラメータ６２は、時刻、利用者の気分、居場所、日付／時期、天気概況などである。上述のように、評価可能性は、利用者がオブジェクトをスキップすることができるスキップボタンであってもよい。オーディオオブジェクト５０が利用者に提供され、時の経過とともに、外部評価によって、自動的な選択が利用者の好みに近づいてゆく。例えば、システムは、利用者が午前中にニュースを聴き、雨が降っているときにブルースを好むことを記憶するようになる。
【００６２】
この使用例の他にも、以前の各選択例に従って個人向け情報選択のための適用の多数のさらなる可能性が存在する。これらは、例えば、日々の衣服の組み合わせの選択、部屋のカラーデザインまたは香りの調整、先に示したようないわゆる家庭用補給システムにおける冷蔵庫内の食料品の選択などを含む。
【００６３】
上述の説明に関して、情報オブジェクトがその中に準備されているメモリ１８は、例えば、ＣＤ、ハードディスク、ＤＶＤ、磁気メモリ、または、その中に格納されている一定の１セットの情報オブジェクトを有する何れか他のメモリでもよいことに留意されたい。その後、この１セットの情報オブジェクトは、ＣＤの交換またはそのセットの更新によって断続的に変更することもできる。ただし、メモリ１８をキャッシュとして構成し、例えば放送信号によって周期的に放送される情報オブジェクトを格納することも可能である。周期的に放送される情報オブジェクトは、ラジオ受信機で受信され、その後キャッシュメモリに入力され、さらに／または、所定の置換ストラテジーに従って再びメモリ１８から置換される。この置換ストラテジーは、グローバル重み付け６０によって規定される確率と、オブジェクト固有重み付けデータ７８と、正当性検証１０４によって規定されるさらなる基準とを使用することもできる。これにより、上述の基準に従って選択プロセス８０で選択される可能性が極めて低い情報オブジェクトは、キャッシュメモリ１８に取り込まれないか、または極めて近いうちに置換される。この置換ストラテジーは、両データ６０、７８と、正当性検証１０４によって用いられるさらなるデータと、修正されたＦＩＦＯ原理などでありえるＦＩＦＯ原理に従うような置換用の共通キャッシュ基準とをさらに利用することもできる。
【００６４】
さらに、上述の各実施形態からは逸脱するが、確率分布の適応は、利用者のニーズおよび要望への適応に限定されるものではないことに留意されたい。例えばカーラジオの場合、確率分布に関して、１つの情報オブジェクトを終了し新しい情報オブジェクトを要求するために利用者がボタンを押すことによって、情報選択が適応されるのではなく、例えば、ハンドルの背後にいる利用者の挙動が、確率分布を適応するために利用されることもさらに可能である。例えば、あるロック音楽の再生時にハンドルの背後にいる利用者の挙動が極めて攻撃的になる場合、これは、同様の状況においてロック音楽および同様のオーディオオブジェクトが再生されることがありそうもない限りにおいては、確率分布６０を適応することによって考慮される。このような適応によって、例えば、トラック運転手の安全運転を促進することができる。
【００６５】
評価および／または評価プロセス７２に関して、パラメータが同様の状況のために計算されるまで、基礎パラメータの低減について上述した評価を行わないことも可能であることに留意されたい。言い換えると、逓減方式は、評価の際ではなく、選択の際にのみ行うことも可能である。
【００６６】
上述の制御手段１２は、例えば、コンピュータまたはそれ相応に設計されたＡＳＩＣとすることもできる。
【００６７】
特に、本発明の方式は、状況によっては、ソフトウェアでも実施されてもよいことに注目されたい。この実施は、その方法が実行されるように、プログラム可能なコンピュータシステムと協働することができ、電子的に読み出すことができる制御信号を有する、デジタル記憶媒体、特に、プロッピーディスクまたはＣＤ上で行うことができる。本発明は、一般に、コンピュータプログラム製品がコンピュータ上で実行されるときに、機械で読み出し可能なキャリアに格納された本発明の方法を実行するためのプログラムコードを有するコンピュータプログラム製品にも存在する。言い換えれば、本発明は、コンピュータプログラムがコンピュータ上で実行されるときに、この方法を実行するためのプログラムコードを有するコンピュータプログラムとしても実現することができる。
【図面の簡単な説明】
【００６８】
【図１】図１は、本発明の一実施形態による情報再生のための装置のブロック図である。
【図２】図２は、本発明の特定の実施形態による図１の装置の動作モードを説明するための基本的な図である。
【図１】
2007535048.tif 000004
【図２】
2007535048.tif 000005
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
複数の情報オブジェクト（５０）に準備されている情報を再生するための装置であって、
選択された情報オブジェクトを得るために適応確率分布（６０）に基づいて情報オブジェクト（５０）を無作為に選択するための手段（１２）と、
選択された前記情報オブジェクトに準備されている情報を再生するための手段（１４）と、
選択された前記情報オブジェクトに準備されている前記情報の前記再生に対する利用者の挙動を取り込むための手段（１６）と、
取り込まれた前記挙動に基づいて前記適応確率分布を適応するための手段（１２）とを備え、
各情報オブジェクト（５０）は、それを１セットのカテゴリからの１つまたはいくつかのカテゴリに関連付ける、それに関連付けられているカテゴリ関連データ（５４）を有し、前記確率分布は、少なくとも１つの重み付け値を各カテゴリ（５８）に関連付ける重み付け関連指定によって少なくとも部分的に規定され、無作為に選択するための前記手段（１２）は、前記重み付け関連指定と選択された前記情報オブジェクトに関連付けられている前記カテゴリ関連データとに基づいて前記選択を実行するように構成され、
前記装置は、前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、無作為に選択するための前記手段（１２）は、前記重み付け関連指定と前記状況関連パラメータの前記取り込まれた値と選択された前記オブジェクトに関連付けられている前記カテゴリ関連データとに基づいて前記選択を実行するように構成されている、装置。
【請求項２】
各情報オブジェクト（５０）は、それに関連付けられている１セットのカテゴリ重み付け（５６）をカテゴリ関連データ（５４）として有し、各カテゴリ重み付け（５６）は、１セットのカテゴリからのカテゴリ（５８）に関連付けられ、前記確率分布は、少なくとも１つの重み付け値を各カテゴリ（５８）に関連付ける重み付け関連指定（６０）によって少なくとも部分的に規定され、無作為に選択するための前記手段（１２）は、前記重み付け関連指定と選択された前記情報オブジェクトに関連付けられている前記カテゴリ重み付けとに基づいて前記選択を実行するように構成されている、請求項１に記載の装置。
【請求項３】
前記状況関連パラメータは、現在の時刻、時期、曜日、前記利用者の現在の気分、前記利用者の現在の位置、または現在の天気概況である、請求項１または請求項２に記載の装置。
【請求項４】
無作為に選択するための前記手段（１２）は、
前記適応確率分布に基づいて最適なカテゴリ関連データ（９４）を決定するための手段（９０）と、
前記複数の情報オブジェクトから候補情報オブジェクトを無作為に選ぶための手段（９２）と、
前記最適なカテゴリ関連データ（９４）と前記候補情報オブジェクトに関連付けられている前記カテゴリ関連データ（９６）とに依存する第１の確率で、第１の無作為決定（１００）に基づいて、無作為な方法で前記選択された情報オブジェクトとして前記候補情報オブジェクトを受諾するための手段（９８）とをさらに備え、
無作為に選ぶための前記手段と受諾するための前記手段とは、前記候補情報オブジェクトが拒否される場合に、前記選ぶことと受諾することとを反復するように構成されている、請求項１ないし請求項３のいずれかに記載の装置。
【請求項５】
受諾するための前記手段（９８）は、前記重み付け関連指定とも前記カテゴリ関連データとも異なる追加データに依存する第２の確率で、第２の決定（１０４）に基づいて、前記候補情報オブジェクトをさらに実行し、両方の無作為決定が肯定される場合にのみ、前記候補情報オブジェクトを受諾するように構成されている、請求項４に記載の装置。
【請求項６】
情報オブジェクトの前記再生または再生された情報オブジェクトに対する前記利用者側の拒否挙動が格納されているリストを管理するための手段（７８）をさらに備え、
受諾するための前記手段は、少なくとも前記追加データの一部として前記リストを使用するように構成されている、請求項５に記載の装置。
【請求項７】
前記追加データは、前記候補情報オブジェクトの前記情報の古さを含む、請求項６に記載の装置。
【請求項８】
前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、前記最適なカテゴリ関連データを決定するための前記手段は、前記最適なカテゴリ関連データとしてカテゴリ重み付けの状況依存の最適なセットを得るために、前記重み付け関連指定と前記状況関連パラメータの前記取り込まれた値とに基づいて前記決定を実行するように構成されている、請求項４ないし請求項７のいずれかに記載の装置。
【請求項９】
それに格納されている前記情報オブジェクトを有するメモリ（１８）をさらに備える、先行する請求項のいずれかに記載の装置。
【請求項１０】
前記メモリ（１８）は、交換可能なデータ記憶媒体、ＣＤ、ＤＶＤ、ハードディスク、または磁気メモリを含む、請求項９に記載の装置。
【請求項１１】
放送／無線信号によって放送された情報オブジェクトを受信するための手段と、
所定の置換ストラテジーに従って前記メモリ内の情報オブジェクトを、受信された情報オブジェクトに交換するための手段とをさらに備える、請求項９に記載の装置。
【請求項１２】
前記置換ストラテジーは、前記適応確率分布に依存する、請求項１１に記載の装置。
【請求項１３】
前記利用者の挙動を取り込むための前記手段（１６）は、前記利用者側の反応を入力するための操作手段を備える、先行する請求項のいずれかに記載の装置。
【請求項１４】
前記利用者の挙動を取り込むための前記手段は、選択された前記情報オブジェクトに準備されている前記情報の前記再生に対する前記利用者側の反応の前記入力を前記利用者側の拒否挙動として解釈するように構成されている、請求項１３に記載の装置。
【請求項１５】
前記利用者の挙動を取り込むための前記手段は、選択された前記情報オブジェクトに準備されている前記情報の前記再生に対して前記利用者側の反応の入力が発生しない場合、これを承認挙動として解釈するように構成されている、請求項１３に記載の装置。
【請求項１６】
前記利用者の挙動を取り込むための前記手段は、２つの入力可能性を備え、選択された前記情報オブジェクトに準備されている前記情報の前記再生に対する前記利用者側の反応の前記入力を、前記第１の入力可能性を用いて、前記利用者側の拒否挙動として解釈し、選択された前記情報オブジェクトに準備されている前記情報の前記再生に対する前記利用者側の反応の前記入力を、前記第２の入力可能性を用いて、前記利用者側の承認挙動として解釈するように構成されている、請求項１３に記載の装置。
【請求項１７】
入力するための前記手段は、ボタン、マイクロホン、カメラ、レバー、またはスイッチを含む、請求項１３ないし請求項１６のいずれかに記載の装置。
【請求項１８】
前記情報は、オーディオおよび／またはビデオデータ、または家庭用補給システムのための反復注文を含む、先行する請求項のいずれかに記載の装置。
【請求項１９】
適応するための前記手段は、取り込まれた挙動が拒否挙動の場合、再生される前記情報が準備されている前記情報オブジェクトに関連付けられているカテゴリに関連付けられている情報オブジェクトが、その後、無作為に選択するための前記手段によって選択される可能性が下がるように、前記適応確率分布を適応するように構成され、および／または、取り込まれた前記挙動が承認挙動の場合、再生される前記情報が準備されている前記情報オブジェクトを有し、それに関連付けられるカテゴリに関連付けられている情報オブジェクトが、無作為に選択するための前記手段によって選択される可能性が上がるように、前記適応確率分布を適応するように構成されている、請求項１ないし請求項１８のいずれかに記載の装置。
【請求項２０】
適応するための前記手段は、前記利用者側の前記取り込まれた挙動が発生する状況を記述する状況関連パラメータの現在値（７０）に基づいて前記適応を実行するように構成されている、請求項１９に記載の装置。
【請求項２１】
前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、適応するための前記手段は、各カテゴリのために、前記それぞれの重み付け値が前記それぞれのカテゴリに関連付けられている状況関連パラメータの前記可能な値が、取り込まれた前記値から外れることが少ないほど、このカテゴリに関連付けられている前記重み付け値が大幅に変更されるように、取り込まれた前記値に基づいて適応を実行するように構成されている、請求項１９または請求項２０に記載の装置。
【請求項２２】
複数の情報オブジェクト（５０）に準備されている情報を再生する方法であって、
選択された情報オブジェクトを得るために適応確率分布（６０）に基づいて情報オブジェクト（５０）を無作為に選択するステップと、
選択された前記情報オブジェクトに準備されている情報を再生するステップと、
選択された前記情報オブジェクトに準備されている前記情報の前記再生に対する利用者の挙動を取り込むステップと、
取り込まれた前記挙動に基づいて前記適応確率分布を適応するステップとを備え、
各情報オブジェクト（５０）は、それを１セットのカテゴリからの１つまたはいくつかのカテゴリに関連付ける、それに関連付けられているカテゴリ関連データ（５４）を有し、前記確率分布は、少なくとも１つの重み付け値を各カテゴリ（５８）に関連付ける重み付け関連指定によって少なくとも部分的に規定され、無作為に選択する前記ステップは、前記選択が前記重み付け関連指定と選択された前記情報オブジェクトに関連付けられている前記カテゴリ関連データとによって決まるように実行され、
前記方法は、前記利用者の取り込まれた挙動が前記状況関連パラメータのための取り込まれた値（７０）を得るために発生する状況を記述する状況関連パラメータを取り込むステップをさらに備え、前記重み付け関連指定は、前記状況関連パラメータの異なった可能な値のために、それぞれ、１つの重み付け値を各カテゴリに関連付け、無作為に選択するための前記手段（１２）は、前記重み付け関連指定と前記状況関連パラメータの前記取り込まれた値と選択された前記オブジェクトに関連付けられている前記カテゴリ関連データとに基づいて前記選択を実行するように構成されている、装置。
【請求項２３】
コンピュータプログラムがコンピュータ上で動作するときに、請求項２２に記載された方法を実行するためのプログラムコードを有する、コンピュータプログラム。
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
複数の情報オブジェクト（５０）に準備されている情報を再生するための装置であって、
選択された情報オブジェクトを得るために適応確率分布（６０）に基づいて情報オブジェクト（５０）を無作為に選択するための手段（１２）と、
選択された前記情報オブジェクトに準備されている情報を再生するための手段（１４）と、
選択された前記情報オブジェクトに準備されている前記情報の前記再生に対する利用者の挙動を取り込むための手段（１６）と、
取り込まれた前記挙動に基づいて前記適応確率分布を適応するための手段（１２）とを備え、
各情報オブジェクト（５０）は、それが１セットのカテゴリからの各カテゴリにそれぞれ関連付けられる度合いを示す、それに関連付けられているカテゴリ関連データ（５４）を有し、前記確率分布は、少なくとも１つの重み付け値を各カテゴリ（５８）に関連付ける重み付け関連指定によって少なくとも部分的に規定され、無作為に選択するための前記手段（１２）は、前記重み付け関連指定と選択された前記情報オブジェクトに関連付けられている前記カテゴリ関連データとに基づいて前記選択を実行するように構成され、
前記装置は、前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、無作為に選択するための前記手段（１２）は、前記重み付け関連指定と前記状況関連パラメータの前記取り込まれた値と選択された前記オブジェクトに関連付けられている前記カテゴリ関連データとに基づいて前記選択を実行するように構成されている、装置。
【請求項２】
各情報オブジェクト（５０）は、それに関連付けられている１セットのカテゴリ重み付け（５６）をカテゴリ関連データ（５４）として有し、各カテゴリ重み付け（５６）は、１セットのカテゴリからのカテゴリ（５８）に関連付けられ、前記確率分布は、少なくとも１つの重み付け値を各カテゴリ（５８）に関連付ける重み付け関連指定（６０）によって少なくとも部分的に規定され、無作為に選択するための前記手段（１２）は、前記重み付け関連指定と選択された前記情報オブジェクトに関連付けられている前記カテゴリ重み付けとに基づいて前記選択を実行するように構成されている、請求項１に記載の装置。
【請求項３】
前記状況関連パラメータは、現在の時刻、時期、曜日、前記利用者の現在の気分、前記利用者の現在の位置、または現在の天気概況である、請求項１または請求項２に記載の装置。
【請求項４】
無作為に選択するための前記手段（１２）は、
前記適応確率分布に基づいて最適なカテゴリ関連データ（９４）を決定するための手段（９０）と、
前記複数の情報オブジェクトから候補情報オブジェクトを無作為に選ぶための手段（９２）と、
前記最適なカテゴリ関連データ（９４）と前記候補情報オブジェクトに関連付けられている前記カテゴリ関連データ（９６）とに依存する第１の確率で、第１の無作為決定（１００）に基づいて、無作為な方法で前記選択された情報オブジェクトとして前記候補情報オブジェクトを受諾するための手段（９８）とをさらに備え、
無作為に選ぶための前記手段と受諾するための前記手段とは、前記候補情報オブジェクトが拒否される場合に、前記選ぶことと受諾することとを反復するように構成されている、請求項１ないし請求項３のいずれかに記載の装置。
【請求項５】
受諾するための前記手段（９８）は、前記重み付け関連指定とも前記カテゴリ関連データとも異なる追加データに依存する第２の確率で、第２の決定（１０４）に基づいて、前記候補情報オブジェクトをさらに実行し、両方の無作為決定が肯定される場合にのみ、前記候補情報オブジェクトを受諾するように構成されている、請求項４に記載の装置。
【請求項６】
情報オブジェクトの前記再生または再生された情報オブジェクトに対する前記利用者側の拒否挙動が格納されているリストを管理するための手段（７８）をさらに備え、
受諾するための前記手段は、少なくとも前記追加データの一部として前記リストを使用するように構成されている、請求項５に記載の装置。
【請求項７】
前記追加データは、前記候補情報オブジェクトの前記情報の古さを含む、請求項６に記載の装置。
【請求項８】
前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、前記最適なカテゴリ関連データを決定するための前記手段は、前記最適なカテゴリ関連データとしてカテゴリ重み付けの状況依存の最適なセットを得るために、前記重み付け関連指定と前記状況関連パラメータの前記取り込まれた値とに基づいて前記決定を実行するように構成されている、請求項４ないし請求項７のいずれかに記載の装置。
【請求項９】
それに格納されている前記情報オブジェクトを有するメモリ（１８）をさらに備える、先行する請求項のいずれかに記載の装置。
【請求項１０】
前記メモリ（１８）は、交換可能なデータ記憶媒体、ＣＤ、ＤＶＤ、ハードディスク、または磁気メモリを含む、請求項９に記載の装置。
【請求項１１】
放送／無線信号によって放送された情報オブジェクトを受信するための手段と、
所定の置換ストラテジーに従って前記メモリ内の情報オブジェクトを、受信された情報オブジェクトに交換するための手段とをさらに備える、請求項９に記載の装置。
【請求項１２】
前記置換ストラテジーは、前記適応確率分布に依存する、請求項１１に記載の装置。
【請求項１３】
前記利用者の挙動を取り込むための前記手段（１６）は、前記利用者側の反応を入力するための操作手段を備える、先行する請求項のいずれかに記載の装置。
【請求項１４】
前記利用者の挙動を取り込むための前記手段は、選択された前記情報オブジェクトに準備されている前記情報の前記再生に対する前記利用者側の反応の前記入力を前記利用者側の拒否挙動として解釈するように構成されている、請求項１３に記載の装置。
【請求項１５】
前記利用者の挙動を取り込むための前記手段は、選択された前記情報オブジェクトに準備されている前記情報の前記再生に対して前記利用者側の反応の入力が発生しない場合、これを承認挙動として解釈するように構成されている、請求項１３に記載の装置。
【請求項１６】
前記利用者の挙動を取り込むための前記手段は、２つの入力可能性を備え、選択された前記情報オブジェクトに準備されている前記情報の前記再生に対する前記利用者側の反応の前記入力を、前記第１の入力可能性を用いて、前記利用者側の拒否挙動として解釈し、選択された前記情報オブジェクトに準備されている前記情報の前記再生に対する前記利用者側の反応の前記入力を、前記第２の入力可能性を用いて、前記利用者側の承認挙動として解釈するように構成されている、請求項１３に記載の装置。
【請求項１７】
入力するための前記手段は、ボタン、マイクロホン、カメラ、レバー、またはスイッチを含む、請求項１３ないし請求項１６のいずれかに記載の装置。
【請求項１８】
前記情報は、オーディオおよび／またはビデオデータ、または家庭用補給システムのための反復注文を含む、先行する請求項のいずれかに記載の装置。
【請求項１９】
適応するための前記手段は、取り込まれた挙動が拒否挙動の場合、再生される前記情報が準備されている前記情報オブジェクトに関連付けられているカテゴリに関連付けられている情報オブジェクトが、その後、無作為に選択するための前記手段によって選択される可能性が下がるように、前記適応確率分布を適応するように構成され、および／または、取り込まれた前記挙動が承認挙動の場合、再生される前記情報が準備されている前記情報オブジェクトを有し、それに関連付けられるカテゴリに関連付けられている情報オブジェクトが、無作為に選択するための前記手段によって選択される可能性が上がるように、前記適応確率分布を適応するように構成されている、請求項１ないし請求項１８のいずれかに記載の装置。
【請求項２０】
適応するための前記手段は、前記利用者側の前記取り込まれた挙動が発生する状況を記述する状況関連パラメータの現在値（７０）に基づいて前記適応を実行するように構成されている、請求項１９に記載の装置。
【請求項２１】
前記利用者の取り込まれた挙動が前記状況関連パラメータのための取り込まれた値（７０）を得るために発生する状況を記述する状況関連パラメータを取り込むための手段（６８）をさらに備え、前記重み付け関連指定は、前記状況関連パラメータの異なった可能な値のために、それぞれ、１つの重み付け値を各カテゴリに関連付け、適応するための前記手段は、各カテゴリのために、前記それぞれの重み付け値が前記それぞれのカテゴリに関連付けられている状況関連パラメータの前記可能な値が、取り込まれた前記値から外れることが少ないほど、このカテゴリに関連付けられている前記重み付け値が大幅に変更されるように、取り込まれた前記値に基づいて適応を実行するように構成されている、請求項１９または請求項２０に記載の装置。
【請求項２２】
複数の情報オブジェクト（５０）に準備されている情報を再生する方法であって、
選択された情報オブジェクトを得るために適応確率分布（６０）に基づいて情報オブジェクト（５０）を無作為に選択するステップと、
選択された前記情報オブジェクトに準備されている情報を再生するステップと、
選択された前記情報オブジェクトに準備されている前記情報の前記再生に対する利用者の挙動を取り込むステップと、
取り込まれた前記挙動に基づいて前記適応確率分布を適応するステップとを備え、
各情報オブジェクト（５０）は、それが１セットのカテゴリからの各カテゴリにそれぞれ関連付けられる度合いを示す、それに関連付けられているカテゴリ関連データ（５４）を有し、前記確率分布は、少なくとも１つの重み付け値を各カテゴリ（５８）に関連付ける重み付け関連指定によって少なくとも部分的に規定され、無作為に選択する前記ステップは、前記選択が前記重み付け関連指定と選択された前記情報オブジェクトに関連付けられている前記カテゴリ関連データとによって決まるように実行され、
前記方法は、前記利用者の取り込まれた挙動が前記状況関連パラメータのための取り込まれた値（７０）を得るために発生する状況を記述する状況関連パラメータを取り込むステップをさらに備え、前記重み付け関連指定は、前記状況関連パラメータの異なった可能な値のために、それぞれ、１つの重み付け値を各カテゴリに関連付け、無作為に選択するための前記手段（１２）は、前記重み付け関連指定と前記状況関連パラメータの前記取り込まれた値と選択された前記オブジェクトに関連付けられている前記カテゴリ関連データとに基づいて前記選択を実行するように構成されている、装置。
【請求項２３】
コンピュータプログラムがコンピュータ上で動作するときに、請求項２２に記載された方法を実行するためのプログラムコードを有する、コンピュータプログラム。
【手続補正２】
【補正対象書類名】明細書
【補正対象項目名】０００８
【補正方法】変更
【補正の内容】
【０００８】
本発明は、複数の情報からの再生される情報の選択が適応確率分布に基づいて無作為に実行され、適応確率分布が情報の再生時に取り込まれた利用者の挙動に基づくときに、利用者にほとんど気づかれず、また利用者側に余分な手間をほとんどかけずに、利用者の要望およびニーズに合うインテリジェントな情報再生方式を提供することが可能であるという知見に基づく。したがって、利用者の挙動は、再生可能な情報および／または再生可能な情報が準備されている複数の情報オブジェクトの中で、１つの情報オブジェクトに準備されている特定の情報が次の再生される情報のために次の無作為選択において受け入れられるか否かの可能性を規定する適応確率分布を適応するための制御された変数として用いられる。
【手続補正３】
【補正対象書類名】明細書
【補正対象項目名】００３２
【補正方法】変更
【補正の内容】
【００３２】
この家庭用補給システムの実施形態によると、情報再生装置１０は、利用者の冷蔵庫が常に一杯であることを保証する。冷蔵庫内にある食料品を利用者の嗜好に合わせて選択するために、制御手段１２は、メモリ２０内の確率分布の使用によりメモリ１８内の情報オブジェクトを無作為に選択し、以下に説明するように、利用者の挙動に基づいて確率分布２０を適応する。メモリ１８内の情報オブジェクトに準備される注文は、「果物」、「甘味」、「酸味」、「脂肪性」、「軽い」、「インドの」、「野菜」、「アジアの」、「糖尿病患者に適した」、「菜食主義者用」などのカテゴリのように、特定のカテゴリに分類されうる異なった食料品のそれぞれの注文に関する。
【手続補正４】
【補正対象書類名】明細書
【補正対象項目名】００４４
【補正方法】変更
【補正の内容】
【００４４】
具体的には、利用者側の拒否挙動が発生すると、評価プロセス７２は、状況が同じであるか同様である限りは、すなわち状況関連パラメータが現在値７０と同様の値を有し、および／または、メモリ２０内のこのような重み付け値が現在値７０と同じか同様の状況パラメータ値に関連付けられている限りは、その後、現在の情報オブジェクト５０と同様のオブジェクト固有パラメータ５４を有する情報オブジェクトが選択される可能性が下がるように、グローバル重み付けテーブル６０に作用する。より具体的には、評価プロセス７２は、同一のカテゴリ５８と、同一の状況関連パラメータ６２とに関連付けられているすべての重み付け値のうち、この状況関連パラメータの現在値に最も近い重み付け値を最も大きく減らす。言い換えると、それぞれの重み付け値が関係付けられている状況が現在の状況７０から離れているほど、利用者の拒否挙動に基づく適応の重要性は小さい。これは、例えば、午前中、具体的には例えば午前８時にロック音楽を拒否した利用者は、午前９時、さらには午前１０時にもおそらく同じ決定をするだろうが、正午、例えば職場での昼休みには、ロック音楽を再び聴きたくなるかもしれないということを考慮している。したがって、同様の状況に関係する複数の重み付け値にも反映されるように、適応７４中に利用者側の拒否挙動がいくらか放射状に広がる。この方法で、適応を加速できる。
【国際調査報告】
2007535048.tif 000006
2007535048.tif 000007
2007535048.tif 000008
2007535048.tif 000009
2007535048.tif 000010
2007535048.tif 000011